(57)【要約】 【課題】  各種サイズのペットボトルを容易に収納でき、且つ、携帯や保管にも便利な安価なペットボトルケースを提供する。【解決手段】  保冷・保温部材により形成されて、ペットボトル２０の下周部を覆う有底筒状の下ケース１と、キャップ２１を露出するようにペットボトル２０の上周部を覆う下部開放の筒状上ケース２とを備えている。上ケース２は下ケース１に被装可能とする。また、下ケース１は吊り下げ紐５を備え、上ケース２は吊り下げ紐５が挿通する通し口６を備えている。【選択図】      図１
0003105362.tif 000002
【実用新案登録請求の範囲】
【請求項１】
保冷・保温部材により形成されて、ペットボトルの下周部を覆う有底筒状の下ケースと、キャップを露出するように前記ペットボトルの上周部を覆う下部開放の筒状上ケースとを備え、
前記上ケースは、前記下ケースに被装可能であることを特徴とするペットボトルケース。
【請求項２】
前記下ケースは吊り下げ紐を備え、前記上ケースは前記吊り下げ紐の通し口を備え、前記吊り下げ紐を前記通し口に挿通することにより前記下ケースと前記上ケースを連結・固定することを特徴とする請求項１に記載のペットボトルケース。
【考案の詳細な説明】
【技術分野】
【０００１】
本考案は、清涼飲料水等の入ったペットボトルを保冷、或いは保温するためのペットボトルケースに関するものである。
【背景技術】
【０００２】
従来より、清涼飲料水等を収容したペットボトルを保冷、或いは保温しながら携帯できるペットボトル用の各種収納ケースが公知である。これらは、断熱性に優れる発泡ウレタン樹脂やアルミニウムシート等を用いて構成される有底筒状ケースで、ペットボトルを出し入れする挿入口の開閉機構をファスナー式（スライドファスナーや面ファスナー）や巾着式（紐による緊締）としたものが一般的である。
【考案の開示】
【考案が解決しようとする課題】
【０００３】
ところで、現在、携帯に便利な清涼飲料水用ペットボトルとして、５００ｍｌ、３５０ｍｌ、２７５ｍｌ等各種サイズが市販されており、ペットボトルケースについても、これら何れかの外形形状にフィットするような専用サイズ品が提供されている。従って、ボトルサイズとケースサイズが不適切な場合は、例えば、ペットボトル挿入口の開閉機構（即ち、ファスナーの開閉や巾着紐の緊締）を含んだペットボトルの出し入れ操作が煩雑になったり、ボトルサイズの方が大きい場合は、収納不可能となり、使い勝手が悪かった。
【０００４】
本考案は、このような問題点に鑑みて成されたもので、適度な保冷・保温機能を有することに加え、各種サイズのペットボトルを容易に収納でき、且つ、携帯や保管にも便利な安価なペットボトルケースを提供することを目的としている。
【課題を解決するための手段】
【０００５】
すなわち、請求項１に記載の考案は、保冷・保温部材により形成されて、ペットボトルの下周部を覆う有底筒状の下ケースと、キャップを露出するように前記ペットボトルの上周部を覆う下部開放の筒状上ケースとを備え、前記上ケースは前記下ケースに被装可能であることを特徴としている。
本構成では、ボトルケースを上下二つに分離可能な構造とし、一方をペットボトルの下から、もう一方を上から装着することにより、携帯に便利な各種サイズのペットボトルを簡単に出し入れすることができる極めて使い勝手の良い収納ケースとなる。
【０００６】
また、請求項２に記載の考案は、請求項１に記載のペットボトルケースにおいて、前記下ケースは吊り下げ紐を備え、前記上ケースは前記吊り下げ紐の通し口を備え、前記吊り下げ紐を前記通し口に挿通することにより前記下ケースと前記上ケースを連結・固定することを特徴としている。
本構成では、構造を簡略化し、部品点数の削減と縫製工程の短縮が図れるため、生産性が向上しコストダウンが可能となる。
【考案の効果】
【０００７】
以上説明したように、考案によれば、携帯に便利な各種サイズのペットボトルを簡単に出し入れすることができる極めて使い勝手の良いペットボトルケースを提供できる共に、簡潔構造により部品点数の削減と縫製工程の短縮を可能とし、生産性の向上により安価に提供できる。
【考案を実施するための最良の形態】
【０００８】
以下、図面に基づいて本考案の実施の形態を説明する。
図１はペットボトルケースの使用方法を示し、図２はペットボトルケースの裏面を示し、図３はポットボトルの収納状態を示し、図４、図５はペットボトルケースの別の使用形態を示している。
【０００９】
図１に示すように、本実施形態のペットボトルケースは、発泡ウレタン樹脂や発泡スチロール樹脂のような断熱性部材を層状にして成る下ケース１と、この下ケース１の上に被さるように装着可能な上ケース２とで構成されている。
【００１０】
下ケース１は有底円筒状であって、その内径は携帯に便利な普及サイズ、５００ｍｌのペットボトル２０が余裕を持って収まる大きさとされると共に、高さ寸法については、ペットボトル２０の約下半分を覆える長さに設定されている。
【００１１】
一方、上ケース２は筒状の胴部に両袖３、３を設けて上着に見立てて遊び感覚を持たせると共に、その首穴４よりペットボトル２０のキャップ２１部分が露出するようになっている。
【００１２】
また、下ケース１の背面開口縁部に携帯時に便利な輪状の吊り下げ紐５が取り付けてあり、これに対応する上ケース２の背面上部には、この吊り下げ紐５の通し口６が一の字状に設けてある。
【００１３】
従って、ペットボトル２０を下ケース１に収納した後、図２に示すように、吊り下げ紐５を上ケース２の胴部内側より通し口６に挿通して露出しているペットボトルの上半分を覆うように上ケースを装着すると、下ケース１の一部が上ケース２に被装された状態（重なり合った状態）で連結・固定され、持ち運び際に上ケース２ずれたり脱落したりする心配はない。飲用の際は、上ケース２の上部に露出したキャップをそのまま外せば良い。
また、ペットボトル２０を交換する時は、そのまま上ケース２を引き上げれば上下のケースは２つに分離するから、ペットボトル２０の出し入れは極めて容易に行える。
【００１４】
このように、本実施形態のペットボトルケースは、従来品のようなペットボトル２０を出し入れするための複雑なファスナー機構や巾着機構は一切不要であって極めて簡潔な構造となる。これにより、部品点数が削減でき、且つ、製造時の縫製工程が短縮されるため、生産性が向上し低コストのペットボトルケースを提供することが可能となる。
【００１５】
次に、本考案のペットボトルケースに、各種サイズ（５００ｍｌ、３５０ｍｌ、２７５ｍｌ）の清涼飲料水用ペットボトル２０を収納した場合を図３を参照して説明する。
【００１６】
まず。図３（ａ）は上記の内、最もサイズの大きい５００ｍｌのペットボトル２０を収納した場合である。
本考案のペットボトルケースは、普及サイズである５００ｍｌボトル品を標準としており、図示のように、ペットボトル２０の約下半分が下ケース１に覆われ、且つ、その上部端部分に上ケース２が幾分重なるように装着される状態となっている。この収納状態は、起立する人物を想定させるファッション性豊かなものである。
次に、図３（ｂ）は３５０ｍｌのペットボトル２０を収納した場合を示し、５００ｍｌボトル品に比べてボトル寸法が低くなることから、その分、下ケース１と上ケースの重なり部分は多くなっている。
次いで、図３（ｃ）は２７５ｍｌのペットボトル２０を収納した場合を示し、図３（ｂ）の場合に比べて上下ケース１、２の重なり部分はさらに多くなっている。
【００１７】
但し、これら収納状態では、何れも下ケース１と上ケース２が相互の重なりと吊り下げ紐５による連結で固定されているため、携帯に支障はない。
【００１８】
また、本実施形態のペットボトルケースの分離構造を生かし、上記した３００ｍｌボトル品および２７５ｍｌボトル品については、分離した上下ケース１、２の一方を用い、卓上等に置いたペットボトル２０を保冷・保温状態に保管しておく保冷・保温カバーとしても使用できるというメリットを有する。
因みに、図４は下ケース１のみを使用した場合であり、図５は上ケース２のみを使用した場合である。
【図面の簡単な説明】
【００１９】
【図１】本考案のペットボトルケースの使用方法を説明する斜視図。
【図２】本考案のペットボトルケースの裏面図。
【図３】ペットボトルの収納状態を示す正面図。
【図４】本考案のペットボトルケースの図３とは別の使用形態を示す図。
【図５】本考案のペットボトルケースの図４とは別の使用形態を示す図。
【符号の説明】
【００２０】
１  下ケース
２  上ケース
５  吊り下げ紐
６  通し口
２０  ペットボトル
２１  キャップ
【図１】
0003105362.tif 000003
【図２】
0003105362.tif 000004
【図３】
0003105362.tif 000005
【図４】
0003105362.tif 000006
【図５】
0003105362.tif 000007